【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
クライアント端末に表示されるホームページに表示する広告を、ネットワークを介して配信するための広告サーバであって、
所定の広告の配信枠を有するホームページがクライアント端末にアクセスされ、該クライアント端末が前記サーバに接続すると、前記配信枠への配信の入札要求を入札応答手段に送信する送信手段と、
前記入札要求に対する配信の対価の情報および配信内容情報を各々含む複数の入札応答を前記入札応答手段から受信し、当該受信した複数の入札応答のうち最も有利な対価の情報を含む入札応答を決定して入札を行う決定手段と
を備え、前記複数の入札応答のうち、予め優先的に配信することを定められた優先入札応答の配信内容を、前記対価の情報にかかわらず優先的に決定することを特徴とする広告サーバ。
【請求項２】
前記決定手段は、リアルタイム入札プロトコルにより前記最も有利な対価の情報を含む入札応答を決定することを特徴とする請求項１に記載の広告サーバ。
【請求項３】
前記広告の配信枠を有するホームページは、前記広告サーバとは異なるサーバから提供され、
前記ホームページには前記広告サーバに接続するための広告配信元情報が関連付けられており、
前記送信手段は、前記広告配信元情報により前記クライアント端末から接続されると、前記配信枠への配信の入札要求を入札応答手段に送信することを特徴とする請求項１または２に記載の広告サーバ。
【請求項４】
前記優先入札応答の配信内容は、少なくとも一定のインプレッション数以上、優先的に決定されることを特徴とする請求項１ないし３のいずれかに記載の広告サーバ。
【請求項５】
前記優先入札応答の広告は、ホームページ内の表示される位置が予め定められていることを特徴とする請求項１ないし４のいずれかに記載の広告サーバ。
【請求項６】
前記対価の情報は、単位配信回数あたり提供される額を含み、
前記決定手段は、前記最も有利な対価の情報を含む入札応答として、最も高い額を含む対価の情報の入札応答を決定することを特徴とする請求項１ないし５のいずれかに記載の広告サーバ。
【請求項７】
前記送信手段は、応答条件情報を前記入札応答手段に送信し、
前記入札応答手段は、前記応答条件を満たす広告を配信するための入札応答を送信することを特徴とする請求項１ないし６のいずれかに記載の広告サーバ。
【請求項８】
前記応答条件情報は、オーディエンス情報を含むことを特徴とする請求項７に記載の広告サーバ。
【請求項９】
前記応答条件情報は、メディア情報を含むことを特徴とする請求項７または８に記載の広告サーバ。
【請求項１０】
前記入札応答手段は、前記決定手段により決定された入札応答の配信内容情報に基づき、前記クライアント端末の配信枠に広告を配信することを特徴とする請求項１ないし９のいずれかに記載の広告サーバ。
【請求項１１】
ホームページに表示する広告を、ネットワークを介して配信する広告配信システムであって、
ホームページを提供する広告メディアサーバと、
前記広告の配信枠を有するホームページを表示するため、該ホームページを提供する情報提供サーバにアクセスするクライアント端末と、
前記配信枠への配信の入札要求を受信すると、該入札要求に対応する広告を決定して、該広告を配信するための入札応答を送信し、当該送信した入札応答が入札されると、前記広告を提供する入札応答手段と、
前記配信枠を有するホームページがアクセスされ、前記クライアント端末に接続されると、前記入札要求を送信する送信手段と、前記入札要求に対する配信の対価の情報および配信内容情報を各々含む複数の入札応答を受信し、当該受信した複数の入札応答のうち最も有利な対価の情報を含む入札応答を決定して入札を行う決定手段とを含む広告サーバと
を備え、前記複数の入札応答のうち、予め優先的に配信することを定められた優先入札応答の配信内容を、前記対価の情報にかかわらず優先的に決定させることを特徴とする広告配信システム。
【請求項１２】
クライアント端末に表示されるホームページに表示する広告を、ネットワークを介して配信する広告配信方法であって、
所定の広告の配信枠を有するホームページがクライアント端末にアクセスされ、該クライアント端末が前記サーバに接続すると、前記配信枠への配信の入札要求を入札応答手段に送信する送信ステップと、
前記入札要求に対する配信の対価の情報および配信内容情報を各々含む複数の入札応答を前記入札応答手段から受信し、当該受信した複数の入札応答のうち最も有利な対価の情報を含む入札応答を決定して入札を行う決定ステップと
を備え、前記複数の入札応答のうち、予め優先的に配信することを定められた優先入札応答の配信内容を、前記対価の情報にかかわらず優先的に決定させることを特徴とする広告配信方法。
【請求項１３】
クライアント端末に表示されるホームページに表示する広告を、ネットワークを介して配信する広告配信方法を広告サーバに実行させるプログラムであって、該広告配信方法は、
所定の広告の配信枠を有するホームページがクライアント端末にアクセスされ、該クライアント端末が前記サーバに接続すると、前記配信枠への配信の入札要求を入札応答手段に送信する送信ステップと、
前記入札要求に対する配信の対価の情報および配信内容情報を各々含む複数の入札応答を前記入札応答手段から受信し、当該受信した複数の入札応答のうち最も有利な対価の情報を含む入札応答を決定して入札を行う決定ステップと
を備え、前記複数の入札応答のうち、予め優先的に配信することを定められた優先入札応答の配信内容を、前記対価の情報にかかわらず優先的に決定させることを特徴とするプログラム。
【手続補正２】
【補正対象書類名】明細書
【補正対象項目名】０００６
【補正方法】変更
【補正の内容】
【０００６】
請求項１に記載の発明は、クライアント端末に表示されるホームページに表示する広告を、ネットワークを介して配信するための広告サーバであって、所定の広告の配信枠を有するホームページがクライアント端末にアクセスされ、クライアント端末がサーバに接続すると、配信枠への配信の入札要求を入札応答手段に送信する送信手段と、入札要求に対する配信の対価の情報および配信内容情報を各々含む複数の入札応答を入札応答手段から受信し、受信した複数の入札応答のうち最も有利な対価の情報を含む入札応答を決定して入札を行う決定手段とを備え、複数の入札応答のうち、予め優先的に配信することを定められた優先入札応答の配信内容を、前記対価の情報にかかわらず優先的に決定することを特徴とする。
【手続補正３】
【補正対象書類名】明細書
【補正対象項目名】０００９
【補正方法】変更
【補正の内容】
【０００９】
請求項４に記載の発明は、請求項１ないし３のいずれかに記載の広告サーバにおいて、優先入札応答の配信内容は、少なくとも一定のインプレッション数以上、優先的に決定されることを特徴とする。
【手続補正４】
【補正対象書類名】明細書
【補正対象項目名】００１６
【補正方法】変更
【補正の内容】
【００１６】
請求項１１に記載の発明は、ホームページに表示する広告を、ネットワークを介して配信する広告配信システムであって、ホームページを提供する広告メディアサーバと、広告の配信枠を有するホームページを表示するため、ホームページを提供する広告メディアサーバにアクセスするクライアント端末と、配信枠への配信の入札要求を受信すると、入札要求に対応する広告を決定して、広告を配信するための入札応答を送信し、送信した入札応答が入札されると、広告を提供する入札応答手段と、配信枠を有するホームページがアクセスされ、クライアント端末に接続されると、入札要求を送信する送信手段と、入札要求に対する配信の対価の情報および配信内容情報を各々含む複数の入札応答を受信し、受信した複数の入札応答のうち最も有利な対価の情報を含む入札応答を決定して入札を行う決定手段とを含む広告サーバとを備え、複数の入札応答のうち、予め優先的に配信することを定められた優先入札応答の配信内容を、前記対価の情報にかかわらず優先的に決定させることを特徴とする。
【手続補正５】
【補正対象書類名】明細書
【補正対象項目名】００１７
【補正方法】変更
【補正の内容】
【００１７】
請求項１２に記載の発明は、クライアント端末に表示されるホームページに表示する広告を、ネットワークを介して配信する広告配信方法であって、所定の広告の配信枠を有するホームページがクライアント端末にアクセスされ、クライアント端末がサーバに接続すると、配信枠への配信の入札要求を入札応答手段に送信する送信ステップと、入札要求に対する配信の対価の情報および配信内容情報を各々含む複数の入札応答を入札応答手段から受信し、受信した複数の入札応答のうち最も有利な対価の情報を含む入札応答を決定して入札を行う決定ステップとを備え、複数の入札応答のうち、予め優先的に配信することを定められた優先入札応答の配信内容を、前記対価の情報にかかわらず優先的に決定させることを特徴とする。
【手続補正６】
【補正対象書類名】明細書
【補正対象項目名】００１８
【補正方法】変更
【補正の内容】
【００１８】
請求項１３に記載の発明は、クライアント端末に表示されるホームページに表示する広告を、ネットワークを介して配信する広告配信方法を広告サーバに実行させるプログラムであって、広告配信方法は、所定の広告の配信枠を有するホームページがクライアント端末にアクセスされ、クライアント端末がサーバに接続すると、配信枠への配信の入札要求を入札応答手段に送信する送信ステップと、入札要求に対する配信の対価の情報および配信内容情報を各々含む複数の入札応答を入札応答手段から受信し、受信した複数の入札応答のうち最も有利な対価の情報を含む入札応答を決定して入札を行う決定ステップとを備え、複数の入札応答のうち、予め優先的に配信することを定められた優先入札応答の配信内容を、前記対価の情報にかかわらず優先的に決定させることを特徴とする。